(57)【特許請求の範囲】
【請求項１】
天井面の開口部から天井裏に突設され、下面に吸込口、一側面に吐出口を設けた箱体状のフレームと、前記フレーム内部にモータと羽根とを備えた送風機が設けられ、下面に前記吸込口と連通する送風機吸込口、および一側面に前記吐出口と連通する送風機吐出口を有し、前記吐出口から突設され、屋外に連通したダクトを接続するアダプタを備え、外部の一側面に、前記モータの内部に設けられた巻線の口出線に接続されたコネクタ端子に接続するモータ接続部、対向する側面に、電源電線を接続する電源電線接続部とを備えたケースを設け、前記ケース内部には速結端子である複数の導電電極と運転用コンデンサを一体に備え、前記ケースを前記モータの外部で接続するものであって、前記ケースを、２つの箱状の部品で構成し、この各々の部品の底面に合わせ面を設けたことを特徴とする換気装置用電源接続装置。
【請求項２】
ケースの上面が、重なり合うように構成されたことを特徴とする請求項１記載の換気装置用電源接続装置。
【請求項３】
ケースの電源電線接続部の外方に、ひさしを設けたことを特徴とする請求項１記載の換気装置用電源接続装置。
【請求項４】
ケース内に、コンデンサを用いた電圧降下手段を備えたことを特徴とする請求項１または３記載の換気装置用電源接続装置。
【発明の詳細な説明】
【技術分野】
【０００１】
本発明は、天井裏に本体を配置し、ダクトと接続して換気を行う換気装置用電源接続装置に関する。
【背景技術】
【０００２】
従来、この種の換気装置用電源接続装置として、天井用換気扇に設けられている電源接続装置が知られている（例えば、特許文献１参照）。
【０００３】
以下、その天井用換気扇の電源接続装置について、図８および図９を参照しながら説明する。
【０００４】
図に示すように、天井下地材（野縁）１０１に対して本体１１１が下部のフランジ部で固定されており、本体１１１内部には、羽根１１２とケーシング１１３を備えており、羽根１１２はモータ１１４のシャフト１１４ｅに固着されている。
【０００５】
そして、本体１１１の側面にはアダプタ１１５が備えられ、排気ダクト１０６に連結されている。モータ１１４の運転により、羽根１１２が回転し、室内側の空気がアダプタ１１５を経由し、ダクト１０６に排出される。
【０００６】
また、モータ１１４の内部の接続基板１１４ｈには、電源電線接続用の速結端子１１４ａと運転用コンデンサ１１４ｂが搭載されている。
【０００７】
そして、モータ１１４の固定子巻線１１４ｃの口出線が接続基板１１４ｈに接続され、速結端子１１４ａには、モータ１１４の外側から電源電線１０５の先端１０５ａが直接結線される構成となっている。
【特許文献１】特許第３４５６８１２号公報
【発明の開示】
【発明が解決しようとする課題】
【０００８】
このような従来の換気装置用電源接続装置では、運転用コンデンサや電源電線を保持する速結端子がモータ内に設けてあると、機械的強度を要する速結端子は大きな部品となって、このためモータの外枠、特に高さが高くなり、それに伴い換気装置自体も高くさせなければならず、また、ある一定以上の出力を有するモータの場合、モータ内部の温度が上昇するため、比較的熱に弱いコンデンサを熱から保護する手段を追加するか耐熱性の高いものにする必要があり、コストがかかるという課題がある。
【０００９】
本発明は、このような従来の課題を解決するものであり、換気装置内にコンデンサや速結端子を設けても、換気装置を高くせず、かつ、コストのかからない換気装置用電源接続装置を提供することを目的とする。
【課題を解決するための手段】
【００１０】
本発明の換気装置用電源接続装置は、上記目的を達成するために、天井面の開口部から天井裏に突設され、下面に吸込口、一側面に吐出口を設けた箱体状のフレームと、前記フレーム内部にモータと羽根とを備えた送風機が設けられ、下面に前記吸込口と連通する送風機吸込口、および一側面に前記吐出口と連通する送風機吐出口を有し、前記吐出口から突設され、屋外に連通したダクトを接続するアダプタを備え、外部の一側面に、前記モータの内部に設けられた巻線の口出線に接続されたコネクタ端子に接続するモータ接続部、対向する側面に、電源電線を接続する電源電線接続部とを備えたケースを設け、前記ケース内部には速結端子である複数の導電電極と運転用コンデンサを一体に備え、前記ケースを前記モータの外部で接続するものである。
【００１１】
また、他の手段は、複数の導電電極が、ケースの下面に隣りあって隔離されるように複数のリブを設けたものである。
【００１２】
また、他の手段は、電源電線側の導電電極には、ばねを押し込み電源電線を抜き取るためのリリースボタンとを備えたものである。
【００１３】
また、他の手段は、ケースを、２つの箱状の部品で構成し、この各々の部品の底面に合わせ面を設けたものである。
【００１４】
また、他の手段は、ケースの上面が、重なり合うように構成されたものである。
【００１５】
また、他の手段は、ケースの電源電線接続部の外方に、ひさしを設けたものである。
【００１６】
また、他の手段は、ケース内に、コンデンサを用いた電圧降下手段を備えたものである。
【発明の効果】
【００１７】
本発明によれば、天井面の開口部から天井裏に突設され、下面に吸込口、一側面に吐出口を設けた箱体状のフレームと、前記フレーム内部にモータと羽根とを備えた送風機が設けられ、下面に前記吸込口と連通する送風機吸込口、および一側面に前記吐出口と連通する送風機吐出口を有し、前記吐出口から突設され、屋外に連通したダクトを接続するアダプタを備え、外部の一側面に、前記モータの内部に設けられた巻線の口出線に接続されたコネクタ端子に接続するモータ接続部、対向する側面に、電源電線を接続する電源電線接続部とを備えたケースを設け、前記ケース内部には速結端子である複数の導電電極と運転用コンデンサを一体に備え、前記ケースを前記モータの外部で接続することにより、ケースを、モータの外部のスペースに設けているので、コンデンサや速結端子を換気装置内に設けても、高さを高くすることなく、かつ、モータ内の温度にも影響されないので耐熱性にしなくてもよいので、コストもかからなくすることができるという効果のある換気装置用電源接続装置を提供することができる。
【００１８】
また、複数の導電電極が、ケースの下面に隣りあって隔離されるように複数のリブを設けたことにより、隣り合う導電電極が異極の場合、ケース内に水が浸入しても、リブによって区分けされているので、トラッキングを防ぐことができるという効果のある換気装置用電源接続装置を提供することができる。
【００１９】
また、電源電線側の導電電極には、ばねを押し込み電源電線を抜き取るためのリリースボタンとを備えたことにより、リリースボタンを操作するのみで電源電線の着脱ができるので、施工性を向上することができるという効果のある換気装置用電源接続装置を提供することができる。
【００２０】
また、ケースを、２つの箱状の部品で構成し、この各々の部品の底面に合わせ面を設けたことにより、ケース内に水が浸入しても、底面の合わせ面の隙間の毛細現象により、水が容易にケース外に流れるので、トラッキングを防ぐことができるという効果のある換気装置用電源接続装置を提供することができる。
【００２１】
また、ケースの上面が、重なり合うように構成されたことにより、ケースの上面からの水の浸入を防止でき、トラッキングを防ぐことができるという効果のある換気装置用電源接続装置を提供することができる。
【００２２】
また、ケースの電源電線接続部の外方に、ひさしを設けたことにより、電源電線接続部からのケース内への水の浸入を防止でき、トラッキングを防ぐことができるという効果のある換気装置用電源接続装置を提供することができる。
【００２３】
また、ケース内に、コンデンサを用いた電圧降下手段を備えたことにより、モータの速度調整を容易にすることができるという効果のある換気装置用電源接続装置を提供することができる。
【発明を実施するための最良の形態】
【００２７】
本発明の請求項１記載の換気装置用電源接続装置は、天井面の開口部から天井裏に突設され、下面に吸込口、一側面に吐出口を設けた箱体状のフレームと、前記フレーム内部にモータと羽根とを備えた送風機が設けられ、下面に前記吸込口と連通する送風機吸込口、および一側面に前記吐出口と連通する送風機吐出口を有し、前記吐出口から突設され、屋外に連通したダクトを接続するアダプタを備え、外部の一側面に、前記モータの内部に設けられた巻線の口出線に接続されたコネクタ端子に接続するモータ接続部、対向する側面に、電源電線を接続する電源電線接続部とを備えたケースを設け、前記ケース内部には速結端子である複数の導電電極と運転用コンデンサを一体に備え、前記ケースを前記モータの外部で接続するものであって、前記ケースを、２つの箱状の部品で構成し、この各々の部品の底面に合わせ面を設けたとしたものであり、各々の部品の底面を接触させるように合わせて、ケースを組み立てるという作用を有する。
【００２８】
また、ケースの上面が、重なり合うように構成されたとしたものであり、各々の部品の上面を重なり合うように接触させて、ケースを組み立てるという作用を有する。
【００２９】
また、ケースの電源電線接続部の外方に、ひさしを設けたとしたものであり、ケースの電源電線接続部の外方に、電源電線接続部に水が進入しないようなひさしを設けるという作用を有する。
【００３０】
また、ケース内に、コンデンサを用いた電圧降下手段を備えたとしたものであり、コンデンサを用いた電圧降下手段をケース内に備えることで、コンデンサリアクタンスを用いた電圧降下手段にするという作用を有する。
【００３１】
以下、本発明の実施の形態について、図面を参照しながら説明する。
【００３２】
（実施の形態１）
図１〜図３に示すように、図示しない天井面の開口部から天井裏に突設され、下面に吸込口３、一側面に吐出口１ａを設けた箱体状のフレーム１と、フレーム１内部にモータ５と羽根４ａとを備えた送風機４が設けられ、フレーム１の下面に吸込口３と連通する送風機吸込口４ｃ、およびフレーム１の一側面に吐出口１ａと連通する送風機吐出口４ｄを有し、吐出口４ｄから突設され、屋外に連通したダクト（図示しない）を接続するアダプタ２ａを備え、フレーム１の外部の一側面に、モータ５の内部に設けられた巻線５ｄの口出線５ｅに接続されたコネクタ端子５ａに接続するモータ接続部６ａ、対向する側面に、電源電線１０を接続する電源電線接続部６ｂとを備えたケース６を設け、ケース６内部には速結端子７を構成する複数の導電電極６ｇと運転用コンデンサ６ｃを一体に備え、ケース６のモータ接続部６ａをモータ５の外部のコネクタ端子５ａで接続する構成とする。
【００３３】
上記構成により、速結端子７と運転用コンデンサ６ｃをケース６内に設け、そのケース６を、モータ５の外部で接続する。
【００３４】
よって、ケース６を、モータ５の外部でフレーム１の外部のスペースに設けているので、運転用コンデンサ６ｃや速結端子７を換気装置内、すなわち、フレーム１内に設けても、モータの高さ内にケース６の高さを収めることができるので、高さを高くすることなく、かつ、モータ５内の温度にも影響されないので耐熱性を有しなくてもよいので、コストもかからなくすることができることとなる。
【００３５】
また、図４に示すように、ケース６を、ケースＡ６ｍとケースＢ６ｎの２部品から構成され、複数の導電電極６ｇと、ケースＡ６ｍの下面に隣りあって格納されるとき、これら複数の導電電極６ｇの各々が隔離されるように複数のリブ６ｐを設けた構成とする。
【００３６】
上記構成により、ケースＡ６ｍの下面にある複数の導電電極６ｇが、リブによって各々に隔離されるように区分けされる。
【００３７】
よって、隣り合う導電電極６ｇが異極の場合、ケース６内に水が浸入しても、リブ６ｐによって導電電極６ｇが各々区分けされているので、充電部相互間の沿面距離を伸ばすことになり、トラッキングを防ぐことができることとなる。
【００３８】
また、図３、図４、図６に示すように、電源電線１０側の導電電極６ｇに、ばね６ｉを押し込んで設置し、電源電線１０を抜き取るためのリリースボタン６ｋとを備えた構成とする。
【００３９】
上記構成により、電源電線１０の先端部の活電部１０ａが速結端子７に接続状態にあるとき、導電電極６ｇとばね６ｉによって挟持される電源電線１０の活電部１０ａは、リリースボタン６ｋを押し込み操作することにより、リリースボタン６ｋのリブがばね６ｉを押し、ばね６ｉが下方に変形し、挟持が解かれ電源電線１０の抜き取りを行える。
【００４０】
よって、リリースボタン６ｋを操作するのみで容易に電源電線１０の抜き取りができるので、電源電線の着脱が容易となり、施工性を向上することができることとなる。
【００４１】
また、図４および図５に示すように、ケース６を、２つの箱状の部品であるケースＡ６ｍ、ケースＢ６ｎで構成し、この各々のケースの底面に合わせ面６ｑを設けた構成とする。
【００４２】
上記構成により、各々の部品であるケースＡ６ｍとケースＢ６ｎによって底面を接触させるように合わせて、ケース６を組み立てる。
【００４３】
よって、ケース６内に水が浸入しても、ケースＡ６ｍとケースＢ６ｎの底面の合わせ面６ｑの隙間の毛細管現象により、水が容易にケース６外に流れ出るので、導電電極６ｇのトラッキングを防ぐことができることとなる。
【００４４】
また、ケース６の上面が、重なり合うように形成された構成とする。
【００４５】
上記構成により、各々の部品であるケースＡ６ｍとケースＢ６ｎの上面を重なり合うように接触させて、ケース６を組み立てる。
【００４６】
また、ケース６の電源電線接続部６ｂの外方に、電源電線接続部６ｂの内部に水が侵入しないようなひさし６ｒを設けた構成とする。
【００４７】
よって、ケース６の上面からの水の浸入を防止でき、トラッキングを防ぐことができることとなる。
【００４８】
また、電源電線接続部６ｂからのケース６内への水の浸入を防止でき、トラッキングを防ぐことができることとなる。
【００４９】
また、図７に示すように、ケース６内に、コンデンサを用いた電圧降下手段６ｓを備えた構成とする。この電圧降下手段６ｓは、モータ５の巻線に直列に接続され、この電圧降下手段６ｓのコンデンサの極間には、放電用の高抵抗６ｔを接続する。
【００５０】
上記構成により、コンデンサを用いた電圧降下手段６ｓをケース６内に備えることで、コンデンサリアクタンスによって、モータ巻線に直列に接続されていることで、電圧降下手段６ｓが電源電圧を分圧することから、モータ５への電源供給電圧を下げることになり、モータ５の出力を低下させ、モータ５を速度調節することができる。また、電圧降下手段６ｓのコンデンサの極間に接続された高抵抗６ｔは、電源が切断されたとき、コンデンサに充電された電荷を放電し、モータ５に接続されたあらゆる充電部の電位を安全に低下させることができる。
【００５１】
よって、モータの巻線のタップ出しなどによるモータの速度調節手段によらなくても、モータの速度調節を容易にかつ安全にすることができることとなる。
【産業上の利用可能性】
【００５２】
本発明にかかる換気装置用電源接続装置は、モータの外形寸法を大きくすることなく、機器全体の大きさを小型化することができ、コストも安くでき、施工性も良いので、他のモータ利用機器の用途にも適用できる。
【図面の簡単な説明】
【００５３】
【図１】本発明の実施の形態１の換気装置用電源接続装置を示す分解斜視図
【図２】同換気装置用電源接続装置のモータを示す断面図
【図３】同換気装置用電源接続装置のケース部分を示す断面図
【図４】同換気装置用電源接続装置のケース部分を示す分解斜視図
【図５】同換気装置用電源接続装置のケース底面部分を示す拡大断面図
【図６】同換気装置用電源接続装置のケース部分を示す断面図
【図７】同換気装置用電源接続装置のケース部分を示す分解斜視図
【図８】従来の換気装置用電源接続装置を示す断面図
【図９】同換気装置用電源接続装置のモータ部分の断面図
【符号の説明】
【００５４】
１    フレーム
４    送風機
５    モータ
５ａ  コネクタ端子
５ｄ  巻線
５ｅ  口出線
６    ケース
６ａ  モータ接続部
６ｂ  電源電線接続部
６ｃ  運転用コンデンサ
６ｇ  導電電極
６ｋ  リリースボタン
６ｍ  ケースＡ
６ｎ  ケースＢ
６ｐ  リブ
６ｑ  合わせ面
６ｒ  ひさし
６ｓ  電圧降下手段
７    速結端子
１０  電源電線
【図１】
0005125555.tif 000002
【図２】
0005125555.tif 000003
【図３】
0005125555.tif 000004
【図４】
0005125555.tif 000005
【図５】
0005125555.tif 000006
【図６】
0005125555.tif 000007
【図７】
0005125555.tif 000008
【図８】
0005125555.tif 000009
【図９】
0005125555.tif 000010